(57)【特許請求の範囲】
【請求項１】
小梁を用いた天井架構の設計を支援する制御部を備えた天井設計支援システムであって、
前記制御部が、
前記天井架構の設計処理を実行することにより、設計対象の天井に配置される感知器の感知区域に含まれる小梁のせいを算出し、
前記感知区域を区画する突出高さ基準値を特定し、
前記算出した小梁のせいが前記突出高さ基準値以上の場合、前記小梁のせいが前記突出高さ基準値よりも小さくなるように、前記小梁の構成を変更して再度、前記設計処理を実行することを特徴とする天井設計支援システム。
【請求項２】
小梁を用いた天井架構の設計を支援する制御部を用いて、前記天井架構を設計する方法であって、
前記制御部が、
前記天井架構を設計することにより、設計対象の天井に配置される感知器の感知区域に含まれる小梁のせいを算出し、
前記感知区域を区画する突出高さ基準値を特定し、
前記算出した小梁のせいが前記突出高さ基準値以上の場合、前記小梁のせいが前記突出高さ基準値よりも小さくなるように、前記小梁の構成を変更して再度、前記天井架構を設計することを特徴とする天井設計方法。
【請求項３】
前記小梁を支持する小梁支持部材を取り付けることにより、前記小梁のせいが前記突出高さ基準値より小さくなるようにし、
前記小梁支持部材は、前記小梁に連結された大梁と前記小梁とに接続して取り付けたことを特徴とする請求項２に記載の天井設計方法。
【発明の詳細な説明】
【技術分野】
【０００１】
本発明は、小梁を用いた天井架構の設計を支援する天井設計支援システム及び天井設計方法に関する。
【背景技術】
【０００２】
建物に設置される防災設備は、防災機器情報及び法規情報等に従って配置される。そこで、この配置設計を効率的に行なうための技術が検討されている（特許文献１参照。）。特許文献１に記載の技術においては、防災機器情報として火災感知器情報を格納した記憶装置と感知器自動配置手段とを用いる。感知器自動配置手段は、ディスプレイ上に建物の平面図を表示し、火災感知器を配置する部屋の面積に応じて、法規情報に従って、火災感知器の配置個数を算出する。更に、感知器自動配置手段は、この配置個数を基にした配置パターンに応じて、平面図上に火災感知器のシンボルを自動配置する。
【先行技術文献】
【特許文献】
【０００３】
【特許文献１】特開平１１−２５０３７０号公報
【発明の概要】
【発明が解決しようとする課題】
【０００４】
特許文献１に記載の技術は、建物の構造が出来上がった後に、防災機器情報や消防法等の法規情報に基づいて感知器を設置している。消防法においては、部屋の壁や取付面から所定値以上突出した梁がある場合においては、その梁によって感知区域が分割され、各感知区域に感知器を設置する必要がある。この場合、感知器の数が増加し、建築コストが増大する。
【０００５】
本発明は、上述の課題に鑑みてなされ、防災のための感知器コストを考慮した天井の設計を支援するための天井設計支援システム及び天井設計方法を提供することにある。
【課題を解決するための手段】
【０００６】
上記課題を解決する天井設計支援システムは、小梁を用いた天井架構の設計を支援する制御部を備えた天井設計支援システムであって、前記制御部が、前記天井架構の設計処理を実行することにより、設計対象の天井に配置される感知器の感知区域に含まれる小梁のせいを算出し、前記感知区域を区画する突出高さ基準値を特定し、前記算出した小梁のせいが前記突出高さ基準値以上の場合、前記小梁のせいが前記突出高さ基準値よりも小さくなるように、前記小梁の構成を変更して再度、前記設計処理を実行する。これにより、感知器を設置するための感知区域を分割する小梁のせいを小さくすることができるので、広い感知区域を確保し、防災のための感知器コストを考慮した天井架構を設計することができる。
【０００７】
上記課題を解決する天井架構は、小梁を用いた天井架構であって、前記天井架構の設計において、前記小梁のせいを算出し、前記算出した小梁のせいが、前記天井架構の天井に配置される感知器の感知区域を区画する突出高さ基準値以上の場合、前記小梁のせいが前記突出高さ基準値よりも小さくなるように、前記小梁の構成を変更して再設計することが好ましい。これにより、小梁のせいが突出高さ基準値より小さくなる小梁の構成に再設計することにより、消防法に基づいて感知区域が分割されず、広い感知区域を確保することができる。
【０００８】
上記天井架構において、前記小梁を支持する小梁支持部材を取り付けることにより、前記小梁のせいが前記突出高さ基準値より小さくなるようにし、前記小梁支持部材は、前記小梁に連結された大梁と前記小梁とに接続して取り付けることが好ましい。これにより、小梁は、大梁だけでなく小梁支持部材によっても支持されるため、小梁における曲げモーメントや変形を軽減することができる。従って、小梁のせいを小さくすることができる。
【発明の効果】
【０００９】
本発明によれば、防災のための感知器コストを考慮した天井架構及びそのための天井の設計を支援することができる。
【図面の簡単な説明】
【００１０】
【図１】本実施形態の天井架構を説明する斜視図。
【図２】本実施形態の天井架構の要部を説明する拡大斜視図。
【図３】本実施形態における小梁に加わる力の作用を説明する説明図であって、（ａ）は小梁の概略図、（ｂ）は曲げモーメント図、（ｃ）は変形図。
【図４】本実施形態の天井設計支援システムの構成を説明するブロック図。
【図５】本実施形態の天井設計処理の処理手順を説明する流れ図。
【発明を実施するための形態】
【００１１】
以下、図１〜図５を用いて、天井設計支援システム及び天井架構を具体化した一実施形態を説明する。本実施形態の天井架構は、体育館や展示場等の建物に用いる場合を想定する。更に、本実施形態の天井架構には、平面形状がほぼ矩形であって、比較的軽量な屋根（例えば、折板屋根等）が載置される。
【００１２】
まず、図１に示す天井架構２０について説明する。この天井架構２０は、立設された複数の柱１１の上端部に渡って配置される。複数の柱１１は、大梁１５で連結される。大梁１５は、隣接する柱１１の中間部同士を連結している。
【００１３】
天井架構２０は、隣接する柱１１の上端部同士を連結する大梁２１を備え、この大梁２１は、建物の天井の縁を囲むように配置されている。
更に、天井架構２０は、平行に配置された複数の大梁２５を備えている。この大梁２５は、対向する柱１１の上端部を連結している。大梁２５のせいは、約２ｍである。大梁２５は、トラス構造で構成されており、平行に配置された上弦材２５ａ及び下弦材２５ｂと、これらを斜めに連結する斜材２５ｃとを備えている。
【００１４】
天井架構２０は、平行に配置された複数の小梁２７を備えている。この小梁２７は、大梁２５に直交するように配置されている。小梁２７は、後述する設計処理によって決定された配置間隔（スパン）で配置される。本実施形態では、このスパンに配置された小梁２７は、上弦材２５ａと斜材２５ｃとの節点、及び下弦材２５ｂと斜材２５ｃとの節点に対応する位置で、大梁２５と交差するように配置されている。また、本実施形態では、小梁２７として、１４ｍ程度の長さの梁を用いる。
【００１５】
また、本実施形態の小梁２７には、突出高さ基準値よりも小さいせいであって、大梁２５の上弦材２５ａとほぼ同じせいのＨ鋼を用いている。ここで、突出高さ基準値とは、消防法において、感知区域を決定する場合に考慮される壁や取付面（天井等）からの突出部の高さを意味する。
【００１６】
また、天井架構２０では、大梁２５の下弦材２５ｂと小梁２７とが小梁支持部材３０により連結されている。本実施形態では、図２に示すように、小梁支持部材３０は、上弦材２５ａと斜材２５ｃとの節点に対向する位置の下弦材２５ｂと小梁２７とを接続するように配置され、又は下弦材２５ｂと斜材２５ｃとの節点と小梁２７とを接続するように配置されている。更に、本実施形態では、大梁２５に対して、線対称に、２つの小梁支持部材３０が配置されている。各小梁支持部材３０は、小梁２７に対して、所定角度（例えば４５度）で取り付けられている。
また、天井架構２０の間には、消防法に従って複数の感知器（図示せず）が設けられている。感知器は、種類に応じた感知区域毎に設けられている。この感知器としては、熱感知器、煙感知器、炎感知器等を用いることができる。
【００１７】
次に、図３を用いて、天井架構２０に用いられる小梁２７に加わる力の作用について説明する。
図３（ａ）は、小梁２７を、大梁２５の延在方向から見た正面図である。この図においては、大梁２５の構成と小梁２７の構成とを単純化している。図３（ｂ）は、小梁２７の曲げモーメント図、図３（ｃ）は、小梁２７の変形図である。図３（ｂ）及び図３（ｃ）において、小梁支持部材３０がない場合の曲げモーメントと変形とを、それぞれ点線で示している。図３（ｂ）に示すように、小梁支持部材３０がない場合の最大曲げモーメント（中央における曲げモーメント）Ｍ０を「１」とした場合、小梁支持部材３０を取り付けると、最大曲げモーメントＭ１は約０．３（１／３以下）になる。また、図３（ｃ）に示すように、小梁支持部材３０がない場合の最大変形量（中央における変形量）ｄ０を「１」とした場合、小梁支持部材３０を取り付けると、最大変形量ｄ１は約０．１（１／１０程度）になる。
【００１８】
次に、図４を用いて、この天井架構２０の設計時に用いる天井設計支援システム６０の構成について説明する。本実施形態では、感知器の設置を考慮して天井架構２０を設計する。
【００１９】
天井設計支援システム６０は、入力部５０や出力部５５を備えている。入力部５０は、各種情報を入力するための手段であり、キーボードやポインティングデバイス、記録媒体からデータを取得する入力インターフェイス等により構成される。また、出力部５５は、各種情報を出力するための手段であり、ディスプレイ等により構成される。
【００２０】
天井設計支援システム６０は、制御部６１、建物設計条件データ記憶部６２、物性値データ記憶部６３、部品価格データ記憶部６４及び設計候補データ記憶部６５を備えている。
【００２１】
制御部６１は、ＣＰＵ、ＲＯＭ、ＲＡＭから構成され、天井設計支援システム６０における処理を制御する。記憶部に格納された天井設計処理プログラムを実行することにより、制御部６１は、設計管理部６１０、設計処理部６１１及び感知区域特定部６１２として機能する。
【００２２】
設計管理部６１０は、天井架構２０の設計を管理し、天井架構２０の再設計の要否を判断する処理を実行する。再設計を行なう場合、設計管理部６１０は、設計条件を変更する。
【００２３】
この設計管理部６１０は、感知面積特定テーブル及び突出高さ基準値テーブルを記憶している。この感知面積特定テーブルには、「取付高」、「耐火構造の有無」及び感知器の種類に対応して感知面積が記憶されている。ここで、取付高としては、４ｍ未満、４ｍ以上８ｍ未満、８ｍ以上１５ｍ未満、１５ｍ以上２０ｍ未満の何れかの値を用いる。
【００２４】
突出高さ基準値テーブルには、感知器の種類に対応付けられた突出高さ基準値が記憶されている。ここで、突出高さ基準値は、感知区域を区画する必要がある突出部の大きさである。
【００２５】
設計処理部６１１は、設計管理部６１０の指示に応じて天井架構２０の設計処理を実行する。この設計処理部６１１は、天井架構２０の設計処理を実行することにより、小梁２７のスパン及びせいを算出する。このため、設計処理部６１１は、設計処理において曲げ応力度、せん断応力度、たわみから、必要な梁せいを算出するための情報（例えば、算出式）を記憶している。更に、設計処理部６１１は、この算出式に用いる各種係数（許容応力度、断面性能（断面積、断面係数、断面二次モーメント）、寸法効果係数、たわみ許容値、許容たわみの絶対値等）に関するデータを記憶している。
感知区域特定部６１２は、設計した天井架構２０に対して、感知器を設置する区域を特定する処理を実行する。
【００２６】
建物設計条件データ記憶部６２には、天井架構２０を設計するために用いる建物の設計条件データが記憶されている。この設計条件データには、屋根の想定耐荷重、建物のデザインに応じた柱１１の大きさや位置（柱１１の間隔や長さ）、天井の全体面積等に関するデータが記憶されている。
【００２７】
物性値データ記憶部６３には、設計処理に用いる部材の物性値データが記憶されている。この物性値は、部材識別子に関連付けて記憶されている。
部材識別子データ領域には、部品材料を特定する識別子（部材識別子）に関するデータが記録されている。本実施形態では、大梁２１，２５、小梁２７、小梁支持部材３０（部品）に用いる材料を特定する部材識別子が記録される。
【００２８】
物性値データ領域には、材料の基準強さ及びヤング係数等に関するデータが記録されている。本実施形態では、材料の基準強さとして、圧縮、引張、曲げ、せん断に関する基準強さが記録されている。
【００２９】
部品価格データ記憶部６４には、天井架構２０に用いる部品の価格データが記憶されている。この部品価格には、部品識別子、種別識別子、部材識別子、形状、性能、価格等が含まれている。
【００３０】
部品識別子データ領域には、各部品を特定する識別子（部品識別子）に関するデータが記録されている。
種別識別子データ領域には、この部品の種類（梁、小梁支持部材、感知器）を特定するための識別子（種別識別子）に関するデータが記録されている。
【００３１】
部材識別子データ領域には、この部品の材料を特定する識別子（部材識別子）に関するデータが記録されている。
形状データ領域には、この部品の形及び各部分の大きさに関するデータが記録されている。
性能データ領域には、部品（感知器）について、感知器の性能（種類）に関するデータが記録されている。
価格データ領域には、この部品の価格に関するデータが記録されている。
【００３２】
設計候補データ記憶部６５には、設計処理における設計結果が設計候補データとして記憶される。この設計候補データは、設計処理部６１１による設計処理の実行の度に記録される。設計候補データには、候補識別子、小梁のせい、スパン、数量と、感知器の種類、必要感知器数、スパン変更の有無、小梁支持部材の有無が含まれている。
【００３３】
候補識別子データ領域には、各設計候補を特定するための識別子（候補識別子）に関するデータが記録されている。
小梁のせいデータ領域、スパンデータ領域、数量データ領域には、設計された小梁のせい、スパン、数量に関するデータがそれぞれ記録される。
【００３４】
感知器の種類データ領域、必要感知器数データ領域には、設計に用いられる感知器の種類、この感知器の個数に関するデータがそれぞれ記録される。
スパン変更の有無データ領域には、この設計において、小梁のスパンの変更を行なったかどうかを識別するためのスパン変更フラグが記録される。
小梁支持部材の有無データ領域には、この設計において小梁支持部材を用いているかどうかを識別するための小梁支持フラグが記録される。
【００３５】
次に、図５を用いて、上述した天井設計支援システム６０における天井設計処理について説明する。
【００３６】
まず、天井設計支援システム６０の制御部６１は、設計条件の取得処理を実行する（ステップＳ１）。具体的には、制御部６１の設計管理部６１０は、この建物の設計に用いる設計条件値データを、建物設計条件データ記憶部６２から取得する。ここで、設計条件値には、設定する耐荷重、天井の大きさ（全体面積、各寸法）、柱１１の間隔等が含まれる。
【００３７】
次に、設計管理部６１０は、感知器の設置面積を特定するための感知器設定条件画面を、出力部５５に出力する。この感知器設定条件画面には、設計する建物の取付高、建物の主要構造部についての耐火構造の有無、感知器の種類の選択欄が含まれる。ここで、ユーザは、感知器設定条件画面において、各欄への入力を行ない、選択終了を指定する。この場合、設計管理部６１０は、感知器設定条件画面に入力された取付高、耐火構造の有無、感知器の種類を取得する。
【００３８】
そして、設計管理部６１０は、感知面積特定テーブルを用いて、取付高、耐火構造の有無に基づいて、使用可能な感知器の種類を特定する。感知面積特定テーブルを用いて特定した感知器の種類の中に、感知器設定条件画面に入力された感知器が含まれていない場合には、設計管理部６１０は、選択した感知器が使用できない旨のメッセージを出力する。
【００３９】
一方、感知器設定条件画面に入力された感知器の種類が使用可能な場合には、設計管理部６１０は、感知面積特定テーブルを用いて、この感知器の種類に応じた感知面積を特定する。更に、設計管理部６１０は、突出高さ基準値テーブルを用いて、この感知器の種類に応じた突出高さ基準値を特定する。
【００４０】
次に、天井設計支援システム６０の制御部６１は、設計処理を実行する（ステップＳ２）。具体的には、制御部６１の設計処理部６１１は、設計管理部６１０が取得した設計条件値と、物性値データ記憶部６３に記憶されているデータとを用いて、各種の許容値を満たす曲げモーメントや変形量となる小梁２７のせい及びスパン等を算出する。
【００４１】
次に、設計処理部６１１は、天井の大きさ、小梁２７のスパン及び長さを用いて、この天井架構２０の設計に必要な小梁２７の個数を算出する。具体的には、設計処理部６１１は、天井架構２０の大きさと、大梁２５の間隔、小梁２７のスパンとを用いて、天井架構２０に配置される小梁２７の個数を算出する。
【００４２】
また、設計処理部６１１は、候補識別子を付与し、この候補識別子に関連付けて、算出した小梁２７のせい、個数及びスパン、スパン変更の有無、小梁支持部材３０の有無を、設計候補データ記憶部６５に記録する。
【００４３】
次に、天井設計支援システム６０の制御部６１は、感知区域の特定処理を実行する（ステップＳ３）。具体的には、制御部６１の感知区域特定部６１２は、設計した小梁のせいが突出高さ基準値より小さいか否かを判定する。
【００４４】
設計した小梁２７のせいが突出高さ基準値以上の場合には、制御部６１の感知区域特定部６１２は、取得した天井の全体面積を、小梁２７のスパンで除算することにより、各小梁２７間のエリアの小梁間面積を算出する。そして、感知区域特定部６１２は、各小梁間面積を、感知器の種類に応じた感知面積で除算（小数点以下を繰り上げ）して、一つの小梁間に必要な感知器数を算出する。そして、感知区域特定部６１２は、すべての小梁間の感知器数を合計して、必要感知器数を算出する。
【００４５】
一方、設計した小梁２７のせいが突出高さ基準値より小さい場合には、制御部６１の感知区域特定部６１２は、取得した天井の全体面積を、選択された感知器に対応する感知面積で除算（小数点以下を繰り上げ）し、必要感知器数を算出する。
【００４６】
次に、天井設計支援システム６０の制御部６１は、感知器数の仮記憶処理を実行する（ステップＳ４）。具体的には、制御部６１の感知区域特定部６１２は、感知器の種類と必要感知器数とを、候補識別子に関連付けて、設計候補データ記憶部６５に記録する。
【００４７】
以下の処理は、天井設計支援システム６０の制御部６１は、小梁のせいが突出高さ基準値より小さいか否かによって異なる。
小梁のせいが突出高さ基準値以上になっている場合（ステップＳ５において「ＮＯ」の場合）、天井設計支援システム６０の制御部６１は、小梁のスパンを変更したか否かの判定処理を実行する（ステップＳ６）。具体的には、制御部６１の設計管理部６１０は、設計候補データ記憶部６５に、スパン変更フラグが記録されているか否かを判定する。ここで、スパン変更フラグが記録されていない場合には、設計管理部６１０は、小梁のスパンを変更していないと判定する。
【００４８】
小梁のスパンを変更済でないと判定した場合（ステップＳ６において「ＮＯ」の場合）、天井設計支援システム６０の制御部６１は、小梁のスパンの変更処理を実行する（ステップＳ７）。具体的には、設計管理部６１０は、設計処理部６１１に対して、この候補識別子に関連付けられている小梁２７のスパンを小さくしての再設計を指示する。そして、この小梁支持部材３０を追加した形状の天井架構２０について、設計処理（ステップＳ２）以降の処理を実行する。また、設計管理部６１０から小梁のスパンを変更した設計を指示した場合には、設計処理部６１１は、設計候補データ記憶部６５に記録されたスパンよりも狭くしたスパンで小梁２７に取り付けた天井架構２０について算出する。この場合、設計処理部６１１は、大梁２５の下弦材２５ｂの節点、上弦材２５ａの節点が、小梁２７のスパンに対応するように、大梁２５の斜材２５ｃを再配置する。この場合には、設計処理部６１１は、スパン変更フラグを記録した設計候補データを設計候補データ記憶部６５に記録する。
【００４９】
一方、小梁のスパンを変更済と判定した場合（ステップＳ６において「ＹＥＳ」の場合）、天井設計支援システム６０の制御部６１は、小梁支持部材を追加済か否かの判定処理を実行する（ステップＳ８）。具体的には、制御部６１の設計管理部６１０は、設計候補データ記憶部６５において、小梁支持フラグの記録の有無により判定する。ここで、小梁支持フラグを含む設計候補データが記録されている場合には、小梁支持部材が追加済と判定する。
【００５０】
小梁支持部材が追加済でないと判定した場合（ステップＳ８において「ＮＯ」の場合）、天井設計支援システム６０の制御部６１は、小梁支持部材の追加処理を実行する（ステップＳ９）。具体的には、制御部６１の設計管理部６１０は、設計処理部６１１に対して、上述した構成の小梁支持部材３０を含めた再設計を指示する。
【００５１】
そして、この小梁支持部材３０を追加した形状の天井架構２０について、設計処理（ステップＳ２）以降の処理を実行する。ここで、設計管理部６１０から小梁支持部材３０を含めた設計を指示した場合には、設計処理部６１１は、小梁支持部材３０を大梁２５及び小梁２７に取り付けた天井架構２０を設計する。ここでは、上述したように、設計処理部６１１は、小梁２７のスパン及び長さを用いて、必要となる小梁２７の個数を算出し、設計候補データ記憶部６５に記録する。この場合には、設計処理部６１１は、小梁支持フラグを記録した設計候補データを設計候補データ記憶部６５に記録する。なお、この場合、設計処理部６１１は、設計候補データ記憶部６５に既に記録された設計候補データの小梁のスパンとは無関係に、小梁のスパンを算出する。
【００５２】
一方、小梁のせいが突出高さ基準値より小さい場合又は小梁支持部材を追加済の場合（ステップＳ５，Ｓ８において「ＹＥＳ」の場合）、天井設計支援システム６０の制御部６１は、経済効果の出力処理を実行する（ステップＳ１０）。具体的には、制御部６１の設計管理部６１０は、設計候補データ記憶部６５に記録された設計候補毎の部品の総額を算出する。具体的には、同一の候補識別子に関連付けられた部品の種類（小梁、小梁支持部材、感知器）の形状、部材識別子、性能に対応する部品の価格を部品価格データ記憶部６４から取得し、取得した価格と各部材の個数とから総額を算出する。
【００５３】
次に、設計管理部６１０は、各設計候補を、費用の安い順番に並び替える。そして、設計管理部６１０は、この順番で各設計候補の費用、設計仕様を並べたリストを含めた出力画面を出力部５５に出力する。
【００５４】
本実施形態によれば、以下のような効果を得ることができる。
（１）本実施形態の天井架構２０は、天井に配置される感知器の感知区域を決める突出高さ基準値よりも小さくなるように構成されている。これにより、小梁のせいが大きいことによって、感知器を設置するための感知区域が分割されることがない。従って、感知区域の設定の自由度を高くして、防災のための感知器を設置できる。そして、この設置コストを考慮した天井架構を設計することができる。
【００５５】
（２）本実施形態の天井架構２０には、大梁２５と小梁２７とに接続され、小梁２７を支持する小梁支持部材３０を取り付ける。これにより、小梁２７における曲げモーメントや変形を軽減することができるので、小梁２７のせいを突出高さ基準値より小さくすることができる。
【００５６】
（３）本実施形態の天井架構２０では、大梁２５はトラス構造を有している。小梁支持部材３０は、大梁２５の下弦材２５ｂと斜材２５ｃとの節点と小梁２７とに接続され、又は大梁２５の上弦材２５ａと斜材２５ｃとの節点と小梁２７とに接続されている。トラス構造において、力が集中する節点を、小梁支持部材３０によって支持することにより、小梁２７のせいを小さくすることができる。また、トラス構造の大梁２５の節点に対応する位置に小梁２７を配置しているので、規則性がある意匠を実現することができる。
【００５７】
（４）本実施形態では、天井設計支援システム６０の制御部６１は、設計処理（ステップＳ２）において特定した小梁２７のせいが突出高さ基準値以上の場合（ステップＳ５において「ＮＯ」）には、小梁のスパンを変更して、再度、設計処理を実行する（ステップＳ２）。これにより、小梁２７のスパンを変更して、突出高さ基準値よりも小さい小梁２７を用いて、感知区域を広げることができる。
【００５８】
（５）本実施形態では、天井設計支援システム６０の制御部６１は、設計処理（ステップＳ２）において特定した小梁２７のせいが突出高さ基準値以上の場合（ステップＳ５において「ＮＯ」）には、小梁支持部材３０を追加して、再度、設計処理を実行する（ステップＳ２）。これにより、小梁支持部材３０を追加することにより、突出高さ基準値よりも小さい小梁２７を用いて、感知区域を広げることができる。
【００５９】
（６）本実施形態では、天井設計支援システム６０の制御部６１は、設計処理、感知区域の特定処理、感知器数の仮記憶処理及び経済効果の出力を実行する（ステップＳ３，Ｓ４）。これにより、小梁の数量や感知器数を用いて、設計候補における設置費用を算出し、コストを比較することができる。
【００６０】
（７）本実施形態では、天井設計支援システム６０の制御部６１は、取付高、耐火構造か否か及び感知器の種類に応じて感知区域を区分けする突出高さ基準値を特定する。これにより、建物や感知器に応じた感知区域を特定することができる。
【００６１】
また、上記実施形態は、以下のように変更してもよい。
・上記実施形態の小梁支持部材３０は、大梁２５の下弦材２５ｂと斜材２５ｃとの節点と、小梁２７とを接続するように配置され、又は、大梁２５の上弦材と斜材２５ｃとの節点に対応する下弦材２５ｂと小梁２７とを接続するように配置した。ここで、小梁支持部材３０の配置位置は、この位置に限定されるものではない。例えば、小梁支持部材３０は、大梁２５の下弦材２５ｂの節点と小梁２７とを接続する位置のみだけに配置してもよい。また、大梁２５の上弦材２５ａの節点に対向する下弦材２５ｂの節点と小梁２７とを接続する位置だけに配置してもよい。また、小梁２７のスパンに合うように、大梁２５の斜材２５ｃを配置した。これに限らず、ユーザからの指示に応じて、小梁２７のスパンと節点との関係を変更してもよい。
【００６２】
・上記実施形態においては、トラス構造の大梁２５の下弦材２５ｂと小梁２７とを接続する小梁支持部材３０を用いた。トラス構造でない大梁においても、大梁の下部と小梁とを接続する小梁支持部材を設けた天井架構としてもよい。
【００６３】
・上記実施形態においては、平面形状がほぼ矩形の天井架構２０について説明したが、複雑な形状の天井架構２０の設計に適用してもよい。この場合、形状に応じて、感知区域を特定する処理を繰り返し、最少の感知器数を算出する。
【００６４】
・上記実施形態の天井設計処理において、天井設計支援システム６０の制御部６１は、小梁のせいが突出高さ基準値以上の場合（ステップＳ５において「ＮＯ」の場合）において、小梁のスパンが変更済か否かを判定し（ステップＳ６）、小梁支持部材が追加済か否かを判定した（ステップＳ８）。小梁のせいを小さくするための対応は、スパン変更、小梁支持部材の追加の順番に限定されるものではない。例えば、制御部６１は、スパン変更の判定処理（ステップＳ６）、小梁支持部材の追加の判定処理（ステップＳ８）の順番を入れ替えてもよい。
【００６５】
また、制御部６１は、小梁支持部材の追加と小梁のスパンの変更との選択画面を出力部に出力し、この選択画面における選択に応じて小梁のせいを小さくするための対応を行なうようにしてもよい。
【００６６】
次に、上記実施形態及び別例から把握できる技術的思想について、それらの効果とともに以下に追記する。
（ａ）小梁を用いた天井架構の設計を支援する制御部を備えた設計支援システムであって、前記制御部が、設計対象の天井に配置される感知器の種類に基づいて、突出高さ基準値テーブルを用いて、感知区域を決める突出高さ基準値を特定し、前記天井に配置される小梁のせいが、前記突出高さ基準値より小さくなるように、天井架構の設計処理を実行することを特徴とする天井設計支援システム。
【００６７】
従って、この（ａ）に記載の発明によれば、感知器の感知区域を定める突出高さ基準値よりも小さくなるように天井架構を設計するので、感知区域の区画について自由度を高くすることができる。
【００６８】
（ｂ）前記小梁の配置間隔を狭くすることにより、前記小梁のせいが前記突出高さ基準値より小さくなるようにしたことを特徴とする請求項２又は３に記載の天井架構。
従って、この（ｂ）に記載の発明によれば、小梁の配置間隔を狭くすることにより、小梁のせいを小さくすることができる。
【符号の説明】
【００６９】
１１…柱、１５，２１，２５…大梁、２０…天井架構、２５ａ…上弦材、２５ｂ…下弦材、２５ｃ…斜材、２７…小梁、３０…小梁支持部材、５０…入力部、５５…出力部、６０…天井設計支援システム、６１…制御部、６２…建物設計条件データ記憶部、６３…物性値データ記憶部、６４…部品価格データ記憶部、６５…設計候補データ記憶部、６１０…設計管理部、６１１…設計処理部、６１２…感知区域特定部。
【図１】
0006515590.tif 000002
【図２】
0006515590.tif 000003
【図３】
0006515590.tif 000004
【図４】
0006515590.tif 000005
【図５】
0006515590.tif 000006